【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
筐体の前面に液晶表示部を配置し、前記筐体の底面に着脱可能なスタンドを備え、前記筐体の背面に樹脂製の背面筐体を設けた液晶テレビジョン装置において、複数の入出力端子類及び／又は電源コードなどの導出部を下向きに配置した横長の段差凹部を前記背面筐体の下側に設けると共に、複数のコード結束用フックを前記段差凹部の段差面から後方側に突き出して一体形成したことを特徴とする液晶テレビジョン装置。
【請求項２】
前記複数のコード結束用フックのそれぞれは、２つの逆Ｌ字型の突起を向かい合わせた略門型に形成されていることを特徴とする請求項１記載の液晶テレビジョン装置。
【請求項３】
前記段差凹部に、前記複数の入出力端子類及び／又は電源コードなどの導出部と、前記複数のコード結束用フックとを覆う着脱可能なカバー部材を設けたことを特徴とする請求項１又は２記載の液晶テレビジョン装置。
【手続補正２】
【補正対象書類名】明細書
【補正対象項目名】全文
【補正方法】変更
【補正の内容】
【発明の詳細な説明】
【発明の名称】液晶テレビジョン装置
【技術分野】
【０００１】
本発明は、スタンド型や壁掛け型として室内に自由に設置できる液晶テレビジョン装置に関し、より詳しくは、種々の家電機器などと入出力するために背面筐体に配置された多数の入出力端子類に接続された多数の信号コードと電源コードとを損傷させることなく容易に結束でき、また、これら多数のコードの結束部などを着脱可能なカバー部材で覆い、意匠、美観に優れた液晶テレビジョン装置に関する。
【背景技術】
【０００２】
電子機器からは、信号を伝送するための信号コードや電源を供給するための電源コードなどのコードが引き出される。これらのコードを電子機器に収容するために、様々な方法が提案されている。パーソナルコンピュータの表示装置として用いられる液晶モニタでは、パーソナルコンピュータに接続するための信号コードと電源コードは、背面から引き出されることが多い。これらのコードは、従来、液晶モニタの背面に設けられたコード挟持溝に挟持されて、収容される。図６は、パーソナルコンピュータの表示装置として用いられる液晶モニタの背面においてコードを挟持して収容する構造を示す説明図である。液晶モニタの筐体４４の背面４４Ａの中央には、筐体４４を支えるスタンド４３の回動支持部４１があり、この回動支持部４１を避けて背面４４Ａに凹部４２が設けられている。この凹部４２から後方側に突き出るように、信号コード４５と電源コード４８の太さに対応した切り欠きたるコード挟持溝４７Ａを有するコード挟持壁４７が形成されている。信号コード４５と電源コード４８は、このコード挟持溝４７Ａに挟持されて、凹部４２に収容される。更に、凹部４２には、筐体４４の背面４４Ａへの係合手段を備えたカバー部材４６を取り付けることが可能である。このカバー部材４６の裏面の、コード挟持溝４７Ａと対向する位置には、信号コード４５と電源コード４８がコード挟持溝４７Ａから外れることを防止する突起４６Ａが形成されている。コード挟持溝４７Ａは、信号コード４５と電源コード４８の太さに対応しているため、挟持する位置を間違えたとしても、目視によって容易に間違いを認識することができる。また、凹部４２は、カバー部材４６を取り付けることで、ほぼ密封状態となり、防塵効果を得ることができる。
【０００３】
また、特許文献１には、図７に示すように、電源コード４８が接続された機器５０の側面に電源コード４８を収容するために設けたスペース５１と、該スペース５１を開閉するために該機器５０の側面に対して着脱自在に支持されるカバー部材４６と、該カバー部材４６の裏面に形成されたコード巻き付け用部材５３と、を備えた電子機器５０であって、前記カバー部材４６の周縁に沿った異なった複数の位置に電源コード４８の引き出し用の切欠き５４を配置した電子機器５０が提案されている。コード巻き付け用部材５３は、互いに背を向けた２つの逆Ｌ字型の突起からなる。このコード巻き付け用部材５３と、カバー部材４６の裏面とで、コードを巻き付ける際の鍔部を形成している。これにより、コードの本数を問わず、巻き付けを容易に行うことができる。
【０００４】
【特許文献１】特開２００２−４３７６６号公報
【発明の開示】
【発明が解決しようとする課題】
【０００５】
近年、液晶テレビジョン装置と接続される家電機器の増加に伴い、接続に使用されるコードの数も増加している。このため、多数のコードを的確に収容する技術が望まれている。上述のパーソナルコンピュータの表示装置として用いられる液晶モニタの背面４４Ａは、中央に回動支持部４１があり、空きスペースが少ないため、回動支持部４１を挟んで既に設けられている凹部４２の反対側（図６では左側）にコードを収容する凹部を１つ追加できるだけである。また、１つの凹部４２には、高々２本のコードしか収容できない。従って、凹部を追加しても、液晶モニタに接続できるコードは４本にしかならず、多数のコードを収容できないという問題があった。更に、凹部を追加すると、カバー部材４６も追加することになり、取り付け作業が増加するという問題があった。更に、仮に凹部を設けるスペースを多く確保できたとしても、複数のコードを、それぞれ、その太さに対応した挟持溝に取り付けなければならず、特に、コードの数が多い場合（例えば、コードが１０本以上の場合）には、作業が煩雑になるという問題があった。更に、コードは、挟持溝４７Ａとカバー部材４６に形成された突起４６Ａとによって挟み込まれるため、カバー部材４６の縁に挟まれて、潰れ、傷や断線を生じることがあるという問題があった。
【０００６】
一方、特許文献１に記載の電子機器では、複数のコードを巻き付けて収容する場合、これら複数のコードは互いに折り重なって巻かれることになる。このため、巻き付けた後で特定のコードを指定して巻き戻し、所望の長さに変更することが非常に難しく、複数のコードを収容する用途には不適であるという問題があった。
【０００７】
本発明は、種々の家電機器などと接続するための多数の信号コードと電源コードとを損傷させることなく簡単且つ確実に結束できるコード結束用フックを備え、多数の信号コードを接続する入出力端子類と電源コードの導出部の配置を下向きに統一して、コードの向きを下向きにすることにより、コードに加わる力を低減すると共に、コード結束用フックによって束ねられたコードの引き出し部分を覆う着脱可能なカバー部材を設けることにより、意匠、美観に優れた、液晶テレビジョン装置を提供することを目的とする。
【課題を解決するための手段】
【０００８】
本発明の請求項１の液晶テレビジョン装置は、筐体の前面に液晶表示部を配置し、前記筐体の底面に着脱可能なスタンドを備え、前記筐体の背面に樹脂製の背面筐体を設けた液晶テレビジョン装置において、複数の入出力端子類及び／又は電源コードなどの導出部を下向きに配置した横長の段差凹部を前記背面筐体の下側に設けると共に、複数のコード結束用フックを前記段差凹部の段差面から後方側に突き出して一体形成したことを特徴とする。
【０００９】
請求項１の構成によれば、筐体を支持するスタンドが筐体の底面側に設けた支持部で連結されるため、複数の入出力端子類と電源コードなどの導出部を下向きに配置した横長の段差凹部を背面筐体の下側に設けることで、背面筐体の下側に十分なスペースを確保することができ、多数のコードを引き出すことが可能となる。従って、パーソナルコンピュータの表示装置として用いられる従来の液晶モニタでは、筐体の背面側中央に筐体を支えるスタンドの回動支持部がある場合、筐体背面の回動支持部を避けた、限られたスペースにコードを引き出して挟持する凹部を設けるしかなく、また、凹部は２つしか設けることができず、１つの凹部から引き出せるコードの数も２本であり、凹部を２つに増やしても合計で４本しか引き出せないという制約があったが、この制約を大幅に緩和することができる。また、複数のコード結束用フックを段差凹部の段差面から後方側に突き出して一体形成したことにより、多数のコードを複数のコード結束用フックで分散して挟持し、背面筐体の下側に向けて引き出すことができる。更に、コード結束用フックは樹脂製の背面筐体の段差面から後方側に突き出して一体に形成されているため、コード結束用フックがコードを損傷することは無い。
【００１０】
本発明の請求項２の液晶テレビジョン装置は、請求項１記載の液晶テレビジョン装置において、前記複数のコード結束用フックのそれぞれは、２つの逆Ｌ字型の突起を向かい合わせた略門型に形成されていることを特徴とする。
【００１１】
請求項２の構成によれば、個々のコード結束用フックは、２つの逆Ｌ字型の突起を向かい合わせた略門型をしており、これら２つの逆Ｌ字型の突起の隙間にコードを収容して結束する、コードの引っ掛け構造を成している。このため、複数のコードを複数のコード結束用フックに簡単に引っ掛けて挟持することができると共に、コードの取り外しも簡単に行うことができる。
【００１２】
本発明の請求項３の液晶テレビジョン装置は、請求項１又は２記載の液晶テレビジョン装置において、前記段差凹部に、前記複数の入出力端子類及び／又は電源コードなどの導出部と、前記複数のコード結束用フックとを覆う着脱可能なカバー部材を設けたことを特徴とする。
【００１３】
請求項３の構成によれば、段差凹部に、複数の入出力端子類及び／又は電源コードなどの導出部と、複数のコード結束用フックとを覆う着脱可能なカバー部材を設けたことにより、入出力端子類とコードの接続箇所やコード結束用フックをカバー部材で覆い隠すことができる。また、背面筐体の下側には横長の段差凹部が設けられており、カバー部材と段差凹部との間にコードを引き出すための大きな隙間を設けることができる。
【発明の効果】
【００１４】
請求項１に係る液晶テレビジョン装置の発明によれば、筐体の底面側にスタンドの着脱部を設けたことにより、複数の入出力端子類と電源コードなどの導出部を下向きに配置した横長の段差凹部を背面筐体の下側に設けることができるので、背面筐体の下側に十分なスペースが確保され多数のコードを引き出して挟持することができると共に、液晶テレビジョン装置の厚さを厚くする必要が無くなり、液晶テレビジョン装置の薄型化を実現することができる。また、複数のコード結束用フックを段差凹部の段差面から後方側に突き出して一体形成したことにより、多数のコードを複数のコード結束用フックで分散して挟持し、背面筐体の下側に向けて引き出すことができるので、多数のコードを整理して引き出すことができる。更に、コード結束用フックは背面筐体と一体に形成されており、部品点数は増加しない。
【００１５】
請求項２に係る液晶テレビジョン装置の発明によれば、個々のコード結束用フックは、２つの逆Ｌ字型の突起を向かい合わせた略門型をしており、２つの逆Ｌ字型の突起の隙間にコードを収容して結束するコードの引っ掛け構造を成しているため、多数のコードを簡単且つ確実に引っ掛けて挟持することができると共に、コードの取り外しも簡単に行うことができるので、スタンドを外して壁掛け型に変更してもコードの結束機能は損なわれない。
【００１６】
請求項３に係る液晶テレビジョン装置の発明によれば、入出力端子類とコードの接続箇所やコード結束用フックをカバー部材で覆い隠すことができるので、意匠、美観に優れた液晶テレビジョン装置を実現することができる。また、カバー部材と段差凹部との間に大きな隙間を設けることができるので、１つのコード結束用フックで複数のコードを束ねて引き出すことができると共に、複数のコード結束用フックを設けることにより多数のコードを束ねて引き出すことができる。また、従来の液晶モニタのようにスタンドの回動支持部によってコードの挟持部の配置スペースが２つに分割されることも無く、横長な段差凹部を１つのカバー部材で覆うことができる。
【発明を実施するための最良の形態】
【００１７】
以下、本発明を実施するための最良の形態としての実施例を、図１〜図５を用いて説明する。もちろん、本発明は、その発明の趣旨に反さない範囲で、実施例において説明した以外のものに対しても容易に適用可能であることは説明するまでもない。
【００１８】
図２は本発明における液晶テレビジョン装置の正面斜視図であり、図３は本発明における液晶テレビジョン装置の背面図である。
【００１９】
液晶テレビジョン装置１の筐体４の前面には液晶表示部２が配置され、また、筐体４の底面側中央にはスタンド３が連結され、筐体４を支持している。更に、液晶テレビジョン装置１の背面には背面筐体５が配置され、この背面筐体５の下側に設けた図示しない段差凹部において、複数のコード８がコード結束用フック２１で挟持されて束ねられ、下向きに引き出されている。複数のコード８が引き出されている段差凹部は、カバー部材６に覆われている。
【００２０】
図１は本発明の一実施例におけるコード結束用フックに挟持されたコードをカバー部材で覆う前の構成を示す斜視図である。背面筐体５の下側には横長な段差凹部１１が形成され、この段差凹部１１の下向き壁面１３に形成した３つの開口窓１４には、合計約２０個の入出力端子類７と電源コード８の導出部が配置されている。この入出力端子類７には、信号コード８が接続されている。
【００２１】
また、スタンド３の図示しない支持部の近傍には、２つのコード結束用フックが、段差凹部１１から突き出した段差面１２から後方側に突き出して一体に形成されている。これら２つのコード結束用フック２１によって複数のコード８を挟持して束ね、下側に引き出すことで、コード８が乱雑になることを防止し、美観を向上することができる。
【００２２】
図４は背面筐体を液晶テレビジョン装置の後側下方向から見た斜視図である。液晶テレビジョン装置１の背面筐体５の下側に、段差凹部１１が形成されている。背面筐体５の下向き壁面１３には入出力端子類７や電源コード８の導出部を配置するための３つの開口窓１４が形成されており、これらの開口窓１４の上縁にはカバー部材６を支持する鈎形係止部１７が形成されている。また、段差凹部１１の両横壁面１５，１６には、カバー部材６の両端側３０，３１に形成された係止爪部３２（後述）と係合する係合孔２５が形成されている。更に、段差凹部１１の中央下端寄りには段差面１２が突き出して形成され、この段差面１２の中央にはカバー部材６を係止するレバー形係止部２２が形成されている。このレバー形係止部２２の両脇には、２つのコード結束用フック２１が、背面筐体５と一体に形成されている。個々のコード結束用フック２１は、２つの逆Ｌ字型の突起２０を向かい合わせた略門型に形成されている。
【００２３】
下向き壁面１３に形成された３つの開口窓１４に配置された入出力端子類７に接続される約２０本の信号コード８と電源コード８とは、２つのコード結束用フック２１に分散して嵌挿され、挟持される。
【００２４】
図５は、本発明の一実施例における背面筐体の段差凹部を覆うカバー部材を示す斜視図である。カバー部材６の上端縁には、背面筐体５の段差凹部１１に形成された鈎形係止部１７と係合する係合壁３５が形成されている。カバー部材６の両端側３０，３１には、段差凹部１１の両横壁面１５，１６に形成された係合孔２５に係合する係止爪部３２が形成されている。カバー部材６の下端寄り中央には、段差凹部１１に形成されたレバー形係止部２２と係合する係合孔３６が形成されている。
【００２５】
これらカバー部材６に形成された係合壁３５、係止爪部３２、及び係合孔３６と、段差凹部１１に形成された鈎形係止部１７、係合孔２５、及びレバー形係止部２２とが、それぞれ、係合することで、カバー部材６を背面筐体５に簡単に取り付けて係止することができ、カバー部材６で横長の段差凹部１１を覆うことができる。また、カバー部材６の下端側で２つのコード結束用フック２１と対面する位置にコード引き出し用隙間３３が形成されており、コード結束用フック２１によって挟持されて束ねられたコード８をこのコード引き出し用隙間３３から下方向に引き出すことができる。
【００２６】
以上のように本発明の液晶テレビジョン装置１によれば、筐体４を支持するスタンド３を筐体４の底辺側に設けたことにより液晶テレビジョン装置１は薄型の形状を維持しながら横長な段差凹部１１を背面筐体５の下側に設けることが可能となり、段差凹部１１の下向き壁面１３から下側に向けて約２０本のコード８を接続して引き出すことが可能となる。更に、約２０本のコード８を、筐体４の底辺側の中央に設けたスタンド３の支持部近傍に形成した２つのコード結束用フック２１に簡単に嵌挿して挟持することができると共に、所定のコード８を取り外すときも、束ねられたコード８の中から所定のコードだけをコード結束用フック２１から簡単に取り外すことができる。また、コード結束用フック２１は、樹脂を用いて背面筐体５と一体に形成されるため、コード８の絶縁被覆を傷付けることはない。更に、２つのコード結束用フック２１に分散して挟持されて引き出されるコード８は下向きに統一することができるので、液晶テレビジョン装置１をスタンド型として使用する時は、スタンド３の近傍から約２０本のコード８を整然と下向きに引き出すことができ、美観を向上させることができる。また、液晶テレビジョン装置１のスタンド３を取り外して壁掛け型として使用する時は、２つのコード結束用フック２１によって束ねられて下向きにコード８が引き出されるので、コード８が乱雑になることを防止でき、液晶テレビジョン装置１の美観を向上させることができる。
【００２７】
また、カバー部材６を設けることで、信号コード８と入出力端子類７の接続部に塵や埃が堆積することを防止できると共に、コード８が他と接触して電気的に短絡することやコード８の被覆を破損することを防止できる。このため、液晶テレビジョン装置１をスタンド型として使用する時は、背後に他のものが近接した狭い場所にも設置することができ、壁掛け型として使用する時は、壁面に密着して設置することができるので、設置場所の制約を受けることなく自由に液晶テレビジョン装置１を設置することが可能となる。
【００２８】
以上、本発明の実施例を詳述したが、本発明は、この実施例に限定されるものではなく、本発明の要旨の範囲内で種々の変形実施が可能である。例えば、コード結束用フック２１は複数のコード８を嵌挿して挟持することが可能な状態であれば向かい合った２つの逆Ｌ字型の突起２０の大きさは同じでなくてもよい。また、カバー部材６は、コード８を引き出して挟持する範囲を覆うことが可能であれば、背面筐体５の幅一杯に横長である必要は無く、使い易さを配慮して形状と係止方法を変更するなど適宜選定してよい。
【図面の簡単な説明】
【００２９】
【図１】本発明の一実施例におけるコード結束用フックに挟持されたコードをカバー部材で覆う前の構成を示す斜視図である。
【図２】本発明における液晶テレビジョン装置の正面斜視図である。
【図３】本発明における液晶テレビジョン装置の背面図である。
【図４】本発明の一実施例における背面筐体の段差凹部とコード結束用フックを示す斜視図である。
【図５】本発明の一実施例における背面筐体の段差凹部を覆うカバー部材を示す斜視図である。
【図６】従来のパーソナルコンピュータに使用される液晶モニタの背面におけるコードを挟持して収容する構造を示す図である。
【図７】従来の電子機器におけるコードを巻き付けて収容する構造を示す図である。
【符号の説明】
【００３０】
１  液晶テレビジョン装置
２  液晶表示部
３  スタンド
４  筐体
５  背面筐体
６  カバー部材
７  入出力端子類
８  コード（信号コード、電源コード）
１１  段差凹部
１２  段差面
２０  逆Ｌ字型の突起
２１  コード結束用フック
【手続補正３】
【補正対象書類名】図面
【補正対象項目名】図１
【補正方法】変更
【補正の内容】
【図１】
2006066736.tif 000001
【手続補正４】
【補正対象書類名】図面
【補正対象項目名】図５
【補正方法】変更
【補正の内容】
【図５】
2006066736.tif 000002